(57)【要約】      （修正有）【課題】家具に容易に後付けでき、ＬＥＤによる照明の眩しさを軽減し、ＬＥＤの耐用性を改善する照明装置を提供する。【解決手段】ＬＥＤ２０を光源とする光放出ユニット１０とベース部材４０と外カバー７０とを有する。光放出ユニット１０及び外カバー７０がベース部材４０に取り付けられる。光放出ユニット１０が、ＬＥＤ２０とレンズユニット３０と目隠しカバー３５とを有する。レンズユニット３０のレンズ３１を凹レンズにする。外カバーの透明領域に凹凸を設ける。ベース部材４０を、第１部材４１と第２部材５１とに分ける。ＬＥＤ２０の熱を放熱板８０や放熱孔によって逃がす。【選択図】図２
0003201524.tif 000002
【実用新案登録請求の範囲】
【請求項１】
ＬＥＤを光源とする光放出ユニットと、相手方部材に装着可能なベース部材と、光放出ユニットを覆って配備される外カバーと、を有する照明装置であって、
上記光放出ユニット及び上記外カバーとが上記ベース部材に取り付けられていると共に、上記光放出ユニットが、光源としての上記ＬＥＤと、このＬＥＤに対向配備されてその光を拡散させて透過させるレンズを備えるレンズユニットと、このレンズユニットのレンズが嵌合された開口部を備える目隠しカバーと、を有し、
上記外カバーが、上記レンズを透過して拡散された光を透過させる透明領域を有し、かつ、上記光放出ユニット及び上記ベース部材を覆う形状を有することを特徴とする照明装置。
【請求項２】
上記レンズが凹レンズであり、そのレンズ及び上記外カバーの透明領域のうちの一方又は両方の外面に、透過光を拡散させる作用を発揮する凹凸が設けられている請求項１に記載した照明装置。
【請求項３】
上記ベース部材が、第１部材と、上記光放出ユニットが取り付けられた第２部材と、上記第１部材に上記第２部材を着脱することに用いられる着脱機構と、を有し、上記第１及び第２の各部材に各別に上記相手方部材に対する重ね合わせ部が設けられ、
上記第１部材に、この第１部材を上記相手方部材に装着することに用いられる第１取付けビスの挿通孔部が設けられているのに対し、第２部材に、この第２部材を上記相手方部材に装着することに用いられる第２取付けビスをねじ込み可能なボス部が設けられている請求項１又は請求項２に記載した照明装置。
【請求項４】
上記着脱機構は、上記第１部材の複数箇所から突出された支柱の先端に設けられた爪部と、上記第２部材の複数箇所に設けられて、この第２部材を上記第１部材に重ね合わせる操作を通じて相手方となる上記爪部に係合される突片部とでなる請求項３に記載した照明装置。
【請求項５】
光源としての上記ＬＥＤが、このＬＥＤを発光させるのに必要な電子部品と共に同一の回路基板に搭載され、かつ、その回路基板が、上記ベース部材に重なり状に固定された放熱板に重なり状に取り付けられており、前記ベース部材の前記放熱板との重なり領域に放熱孔としての開口が形成されている請求項１又は請求項２に記載した照明装置。
【請求項６】
光源としての上記ＬＥＤが、このＬＥＤを発光させるのに必要な電子部品と共に同一の回路基板に搭載され、かつ、その回路基板が、上記第２部材に重なり状に固定された放熱板に重なり状に取り付けられている請求項３又は請求項４に記載した照明装置。
【請求項７】
上記第２部材の上記放熱板との重なり領域に放熱孔としての開口が形成されている請求項６に記載した照明装置。
【請求項８】
上記第１部材における第２部材の上記開口の形成箇所との対峙箇所に、放熱孔としての開口が形成されている請求項７に記載した照明装置。
【考案の詳細な説明】
【技術分野】
【０００１】
本考案は、照明装置、特に、ベッドや据置き棚などの家具類の周囲を照明することに用いられる照明装置に関する。
【背景技術】
【０００２】
先行例には、ベッドのヘッドボードに埋込み形式で設置される家具の照明装置が開示されている（特許文献１参照）。特許文献１によって開示されている家具の照明装置は、ベッドのヘッドボードの内部の空間に高輝度ＬＥＤを設け、上記空間の一方側の開口に上記ＬＥＤを搭載した基板が装着され、その他方の開口にプリズム状の刃形を持つプレートが嵌め殺しの態様で装架されている。そして、ＬＥＤから出た白色光が、プレートを通過して拡開し、それによってマットレス上の使用者の枕元から足元までの範囲をＬＥＤの光が照射する、とされている。
【０００３】
他の先行例にも、ヘッドボードに照明装置が埋込み形式で設置されたベッドが開示されている（特許文献２参照）。特許文献２に開示されている照明装置は、横向きのＬＥＤから出た光を反射板でベッドの長手方向に反射させ、その反射光の高さを導光板の作用で調整するようになっていて、使用者にとっての不快グレア（ギラギラするような不快な光のまぶしさ）を軽減することができる、とされている。
【先行技術文献】
【特許文献】
【０００４】
【特許文献１】特開２００３−２２９０１８号公報
【特許文献２】特開２０１４−１０９４０号公報
【考案の概要】
【考案が解決しようとする課題】
【０００５】
特許文献１で開示されている照明装置では、プリズム状の刃形を持つプレートの作用によってＬＥＤの光が拡散されて眩しさが軽減され、また、特許文献２で開示されている照明装置では、反射板及び導光板の作用によってＬＥＤの光の眩しさが軽減されるようになっている。しかしながら、いずれもベッドのヘッドボードに埋込み形式で設置されるものであるので、ベッドのヘッドボードに後付けによって設置するのが困難であり、それができるとしてもヘッドボードに面倒な加工を行って埋め込み用の設置空間を形成しなければならない、という不便がある。
【０００６】
また、ＬＥＤの光の眩しさを軽減するための対策として、特許文献１のものでは、プリズム状の刃形を持つプレートの作用を利用しているだけであり、特許文献２のものでは、ＬＥＤを横向きに設置したり、反射板による反射光の高さを、導光板を利用して、利用者の目の高さとの関係で調整したりしているだけである。そのため、ＬＥＤの光の眩しさを大幅に軽減することに困難が伴う、ということが云える。
【０００７】
本考案は、以上の状況に鑑みてなされたものであり、ベッドのヘッドボードに限らず、その他の収納棚やテーブルといった様々な種類の家具類に後付けによって設置することが容易でありながら、ＬＥＤの光の拡散作用を通じて光の眩しさを軽減することのできる照明装置を提供することを目的とする。
【０００８】
また、本考案は、ＬＥＤの光の拡散作用を多重に発揮させることのできる対策を講じることによって、眩しさをさらに改善することのできる照明装置を提供することを目的とする。
【０００９】
さらに、本考案は、ＬＥＤやＬＥＤを発光させるのに必要な電子部品をコンパクトな同一の回路基板に搭載しても、それらの過度の発熱を抑制することができるようにすることによってＬＥＤの耐用性を改善することを目的とする。
【課題を解決するための手段】
【００１０】
本考案に係る照明装置は、ＬＥＤを光源とする光放出ユニットと、相手方部材に装着可能なベース部材と、光放出ユニットを覆って配備される外カバーと、を有する。そして、上記光放出ユニット及び上記外カバーとが上記ベース部材に取り付けられていると共に、上記光放出ユニットが、光源としての上記ＬＥＤと、このＬＥＤに対向配備されてその光を拡散させて透過させるレンズを備えるレンズユニットと、このレンズユニットのレンズが嵌合された開口部を備える目隠しカバーと、を有し、上記外カバーが、上記レンズを透過して拡散された光を透過させる透明領域を有し、かつ、上記光放出ユニット及び上記ベース部材を覆う形状を有する。
【００１１】
このように構成された照明装置によると、当該照明装置を構成している光放出ユニット及び外カバーが、同じく当該照明装置を構成しているベース部材に取り付けられていることにより、照明装置の全体がコンパクトな一体物として構成される。そして、ベース部材を相手方部材に装着可能であるので、ベース部材を相手方部材に装着しておくだけで、光放出ユニット及び外カバーをそのベース部材を介して相手方部材に取り付けることが可能である。
【００１２】
本考案では、上記レンズが凹レンズであり、そのレンズ及び上記外カバーの透明領域のうちの一方又は両方の外面に、透過光を拡散させる作用を発揮する凹凸が設けられている、という構成を採用することが可能である。この構成を採用すると、ＬＥＤの光が、凹レンズで拡散されて外カバーの透明領域を透過するのみならず、凹レンズ又は外カバーの透明領域、あるいは、それらの内の一方の外面に設けられた凹凸によって拡散されて凹レンズや外カバーの透明領域を透過して拡散する。そのため、ＬＥＤの光が多重に拡散されることになり、それによって眩しさが大幅に軽減されるようになる。
【００１３】
本考案では、上記ベース部材が、第１部材と、上記光放出ユニットが取り付けられた第２部材と、上記第１部材に上記第２部材を着脱することに用いられる着脱機構と、を有し、上記第１及び第２の各部材に各別に上記相手方部材に対する重ね合わせ部が設けられ、上記第１部材に、この第１部材を上記相手方部材に装着することに用いられる第１取付けビスの挿通孔部が設けられているのに対し、第２部材に、この第２部材を上記相手方部材に装着することに用いられる第２取付けビスをねじ込み可能なボス部が設けられている、という構成を採用することが可能である。この構成によると、第１部材の挿通孔部を利用することにより、第１取付けビスを用いてその第１部材を相手方部材に装着することが可能である。また、第２部材のボス部を利用することにより、第２取付けビスを用いてその第２部材を相手方部材に装着することが可能である。このため、相手方部材に装着された第１部材に、着脱機構の作用を介して、光放出ユニットや外カバーが取り付けられた第２部材を装着することが可能になるだけでなく、光放出ユニットや外カバーが取り付けられた第２部材を相手方部材に直接取り付けることも可能になる。
【００１４】
本考案において、上記着脱機構は、上記第１部材の複数箇所から突出された支柱の先端に設けられた爪部と、上記第２部材の複数箇所に設けられて、この第２部材を上記第１部材に重ね合わせる操作を通じて相手方となる上記爪部に係合される突片部とでなる、という構成を採用することが望ましい。これによると、相手方部材に装着された第１部材に、光放出ユニットや外カバーが取り付けられた第２部材を重ね合わせるという簡単な操作を行うだけで、照明装置の全体を相手方部材に装着することが可能である。
【００１５】
本考案では、光源としての上記ＬＥＤが、このＬＥＤを発光させるのに必要な電子部品と共に同一の回路基板に搭載され、かつ、その回路基板が、上記ベース部材に重なり状に固定された放熱板に重なり状に取り付けられており、前記ベース部材の前記放熱板との重なり領域に放熱孔としての開口が形成されていることが望ましい。この構成であると、ＬＥＤや電子部品の過度の発熱が放熱板による放熱によって抑制されることになり、ＬＥＤの耐用性が改善される。
【００１６】
本考案では、光源としての上記ＬＥＤが、このＬＥＤを発光させるのに必要な電子部品と共に同一の回路基板に搭載され、かつ、その回路基板が、上記第２部材に重なり状に固定された放熱板に重なり状に取り付けられていることが望ましい。この構成であると、ＬＥＤや電子部品の過度の発熱が放熱板による放熱によって抑制されることになり、ＬＥＤの耐用性が改善される。
【００１７】
本考案では、上記第２部材の上記放熱板との重なり領域に放熱孔としての開口が形成されていてもよく、また、上記第１部材における第２部材の上記開口の形成箇所との対峙箇所に、放熱孔としての開口が形成されていてもよい。これらの対策を講じることによりＬＥＤの耐用性がさらに改善される。
【考案の効果】
【００１８】
以上のように、本考案によると、ベッドのヘッドボードやその他の収納棚やテーブルといった様々な種類の家具類に後付けで直付け設置することが容易である。しかも、ＬＥＤの光の多重に亘る拡散作用を通じて光の眩しさを大幅に軽減することのできる照明装置を提供することが可能である。さらに、ＬＥＤやＬＥＤを発光させるのに必要な電子部品をコンパクトな同一の回路基板に搭載しても、それらの過度の発熱を抑制することができるようになってＬＥＤの耐用性を改善することが可能になる。
【図面の簡単な説明】
【００１９】
【図１】本考案の実施形態に係る照明装置の全体を説明的に示した平面図である。
【図２】図１のＩＩ−ＩＩ線に沿う断面図である。
【図３】ベース部材を構成している第１部材の平面図である。
【図４】ベース部材を構成している第２部材の平面図である。
【図５】目隠しカバーの平面図である。
【図６】着脱機構の構成及び作用を示した断面図である。
【図７】図４のＶＩＩ−ＶＩＩ線に沿う拡大断面図である。
【図８】レンズユニットの平面図である。
【図９】図１のＩＸ−ＩＸ線に沿う部分の拡大断面図である。
【図１０】図２のＸ部拡大図である。
【図１１】外カバーと目隠しカバーとの取付け構造を示した断面図である。
【図１２】変形例による光放出ユニットの説明図である。
【図１３】図１２のＸＩＩＩ部拡大図である。
【図１４】図１２のＸＩＶ部拡大図である。
【図１５】照明装置の設置手順の開始段階を例示した断面図である。
【図１６】照明装置の設置手順の最終段階を例示した断面図である。
【図１７】ヘッドボードに対する照明装置の設置状態の断面図である。
【図１８】照明装置の他の設置手順の開始段階を例示した断面図である。
【図１９】照明装置の他の設置手順の最終段階を例示した断面図である。
【図２０】ヘッドボードに対する設置状態の断面図である。
【考案を実施するための形態】
【００２０】
図１は本考案の実施形態に係る照明装置の全体を説明的に示した平面図、図２は図１のＩＩ−ＩＩ線に沿う断面図である。また、図３はベース部材４０を構成している第１部材４１の平面図、図４はベース部材４０を構成している第２部材の５１の平面図、図５は目隠しカバー３５の平面図である。
【００２１】
図１及び図２に示したように、この照明装置は、ＬＥＤ２０を備える光放出ユニット１０と、当該照明装置を相手方部材（不図示）に装着するためのベース部材４０と、光放出ユニット１０などを覆って配備される透明な外カバー７０とを有する。
【００２２】
図１のように、ベース部材４０は、第１部材４１と第２部材５１とこれら両者の着脱機構６１とを有する。
【００２３】
図１〜図３に示したように、第１部材４１は平面視略矩形の樹脂成形体でなり、その裏面側に突出する縁枠部４２を備え、その縁枠部４２の端面が、後述する相手方部材に対する重ね合わせ部４３として形成されている。また、第１部材４１の左右端部の２箇所に第１取付けビス（不図示）の挿通孔部４４，４４が設けられている。これに対し、図１、図２又は図４に示したように、第２部材５１も平面視略矩形の樹脂成形体でなり、その裏面側に突出する縁枠部５２を備え、その縁枠部５２の端面が、後述する相手方部材に対する重ね合わせ部５３として形成されている。また、第２部材５１の左右端部の２箇所に、第２取付けビス（不図示）をねじ込み可能なボス部５４，５４が設けられている。第２部材５１の縁枠部５２は、第１部材４１の縁枠部４２の外側に嵌合可能であり、その嵌合状態では、図２のように第１部材４１に第２部材５１が重なり合い、かつ、それらの各部材４１，５１の上記重ね合わせ部４３，５３同士が面一に位置するようになっている。また、第２部材５１には、図１、図２又は図４のようにスイッチ２２が取り付けられていて、このスイッチ２２の押しボタン２３を操作することによってＬＥＤ２０を点灯したり消灯したりすることができる。また、スイッチ２２の端子２４に接続された電気コード(不図示）が、第２部材５１に凹入状に設けられた切欠部５９を通してその背方に引き出される。
【００２４】
着脱機構６１は、平面視略矩形のベース部材４０の４隅の４箇所に亘って設けられている。図６には、着脱機構６１の構成をその作用と共に断面図で示している。同図のように、この着脱機構６１は、第１部材４１から突出された支柱６２の先端に設けられている爪部６３と第２部材５１に設けられた突片部６４とでなる。図３によって判るように、支柱６２は垂直立上り姿勢の平板状に形成されている。一方、図４によって判るように、突片部６４は、第２部材５１の隅部に設けられた開口部６５内に突き出す形態で設けられている。そして、図６に矢印で示したように、第２部材５１を第１部材４１との対向位置から第１部材４１に重ね合わせる操作を行って爪部６３を開口部６５に挿通させると、爪部６３がその相手方である突片部６４を弾性変形させて乗り越え、それによって、弾性復帰した突片部６４が爪部６３に係合して第２部材５１が第１部材４１に装着される。また、爪部６３と突片部６４との係合を解除して第２部材５１を第１部材４１から取り外すときには、図６の矢印ａのように爪部６３又は支柱６２を押し付けて爪部６３を突片部６４との係合位置から後退させた後、第２部材５１を第１部材４１から引き離して爪部６３を開口部６５から抜き出す。
【００２５】
図１又は図２のように、第２部材５１には光放出ユニット１０が取り付けられている。光放出ユニット１０は、光源としての上記ＬＥＤ２０と、レンズユニット３０と、不透明な目隠しカバー３５とを備えている。
【００２６】
ＬＥＤ２０は、当該ＬＥＤ２０を発光させるのに必要な電子部品、たとえば抵抗素子など（不図示）と共に同一の矩形の回路基板２１に搭載されている。そして、その回路基板２１が矩形のアルミニウム材でなる放熱板８０の表面に放熱性の接着剤で重なり状に固定されている。この放熱板８０は第２部材５１に重なり状に取り付けられていて、その取付け構造が、図１、図２及び図４のほか、図７にも示してある。図７は図４のＶＩＩ−ＶＩＩ線に沿う拡大断面図である。図１、図４又は図７に示したように、第２部材５１の４箇所に、頂部に係止爪８２を有する支柱８１が設けられている。そして、放熱板８０は、４箇所の支柱８１…によって幅方向で位置決めされ、４箇所の係止爪８２…によって第２部材５１からの浮き上がりが防止されている。さらに、放熱板８０は、第２部材５１の２箇所に設けられた突片８３，８３によって長手方向で位置決めされている。
【００２７】
図８はレンズユニット３０の平面図、図９は図１のＩＸ−ＩＸ線に沿う部分の拡大断面図である。図８のように、レンズユニット３０は、平面視円形のレンズ３１の周囲に鍔部３２を有してなり、その鍔部３２の４箇所に突起３３…が設けられている。そして、図９に示したように、それらの突起３３…が第２部材５１に突設された筒状支柱５５に挿入されている。筒状支柱５５は、図１又は図４のように、第２部材５１の４箇所に設けられている。レンズユニットは樹脂成形体でなり、そのレンズ３１は表面が球面状に凹入した凹レンズとして構成されている。こうして上記した４箇所の筒状支柱５５…に取り付けられているレンズユニット３０のレンズ３１は、図２のように、上記したＬＥＤ２０に間隔を隔てて対向配備されている。
【００２８】
図１０は図２のＸ部拡大図である。図２又は図５のように、目隠しカバー３５は、その中央部に開口部３６を有し、かつ、左右２箇所にボス部３７，３７を有している。そして、図１０にも示したように、２箇所のボス部３７，３７が、第２部材５１の左右２箇所に設けられている取付けビス挿通孔部５６に付き合わされて、取付けビス挿通孔部５６に挿通された取付けビス３８が上記ボス部３７にねじ込まれている。これにより、目隠しカバー３５が第２部材５１に取り付けられている。こうして、第２部材５１に目隠しカバー３５が取り付けられていると、図２のように、目隠しカバー３５の開口部３６の周縁部がレンズユニット３０の鍔部３２に重なり合ってレンズ３１がその開口部３６から露出しているのに対し、ＬＥＤ２０や放熱板８０などが取り付けられている第２部材５１の全体が目隠しカバー３５によって覆われる。
【００２９】
次に、外カバー７０は全体が透明領域とされた透明な樹脂成形体でなり、上記した目隠しカバー３５に着脱可能である。図１１は外カバー７０と目隠しカバー３５との取付け構造を示した断面図である。同図のように、外カバー７０の前後の側壁７１，７１に係合孔部７２，７２が設けられているのに対し、目隠しカバー３５にはそれらの係合孔部７２，７２に対応する係合突起３９，３９が設けられている。そして、外カバー７０を目隠しカバー３５に被せるときに、その側壁７１，７１の弾性を利用して係合孔部７２を係合突起３９に係合させることによって外カバー７０が目隠しカバー３５に装着される。こうして目隠しカバー３５に外カバー７０を取り付けた状態では、第２部材５１に取り付けられているスイッチ２２の押しボタン２３が、図１のように外カバー７０に設けられている切り欠き（不図示）から外側へ露出している。そのため、外カバー７０の外側から押しボタン２３を操作することができる。外カバー７０を目隠しカバー３５から取り外すときには、側壁７１，７１をその弾性を利用して外側に拡げることによって、係合孔部７２と係合突起３９との係合を解除する。
【００３０】
以上説明した照明装置において、図２に示した組立て状態では、第１部材４１に、光放出ユニット１０が装備された第２部材５１が着脱機構６１（図６参照）を介して装着され、その第２部材５１に、取付けビス３８を用いて目隠しカバー３５が取り付けられ、さらに、その目隠しカバー３５に、図１１に示した係合孔部７２と係合突起３９との係合箇所を介して外カバー７０が取り付けられている。
【００３１】
図２の組立状態において、スイッチ２２の押しボタン２３（図１参照）を操作してＬＥＤ２０を発光させると、その光がレンズユニット３０のレンズ３１を透過して拡散し、その拡散光が外カバー７０を透過して周囲に放出される。
【００３２】
ところで、ＬＥＤ２０の光は指向性が強く、その光でそのまま周囲を照明すると、利用者が眩しさを感じるとされている。しかし、この実施形態のようにレンズユニット３０のレンズ３１が光を拡散させる特性を備えた凹レンズで構成されていると、外カバー７０を透過して周囲を照明する光の眩しさが軽減されるという利点がある。
【００３３】
図１２、図１３又は図１４には、外カバー７０を透過して周囲を照明する光の眩しさをさらに軽減する対策を講じた光放出ユニット１０の構成の変形例を、放熱板８０と共に示している。図１２は光放出ユニット１０の説明図、図１３は図１２のＸＩＩＩ部拡大図、図１４は図１２のＸＩＶ部拡大図である。
【００３４】
この変形例では、外カバー７０の裏面に図１３に示した凹凸７３が設けられている。また、レンズ３１の裏面に図１４に示した凹凸３４が設けられている。外カバー７０とレンズ３１とにこのような対策を講じておくと、ＬＥＤ２０の光の眩しさが、レンズ３１の凹レンズとしての拡散作用や凹凸３４の乱反射作用によって大幅に軽減される。しかも、レンズ３１を透過した矢印Ｌ１で示す拡散光が、外カバー７０の凹凸７３による乱反射作用によって、矢印Ｌ２のようにさらに顕著に拡散して周囲を照明することになるので、光が多重に拡散されて利用者が眩しさをほとんど感じなくなる。
【００３５】
この変形例では、レンズ３１及び外カバー７０の両方に凹凸３４，７３が設けられているけれども、この点は、レンズ３１及び外カバー７０の片側だけに凹凸を設けておいてもよい。また、レンズ３１の凹凸３４や外カバー７０の凹凸７３はそれぞれの表面に設けても、表裏両面に設けてもよい。さらに、それらの凹凸３４，７３は、レンズ３１や外カバー７０の表面又は裏面に点在させたものであっても、ストライプ状に形成しておいてもよい。
【００３６】
この照明装置の光放出ユニット１０は、図１などに示したように、ＬＥＤ２０やＬＥＤ２０を発光させるのに必要な電子部品が同一の回路基板２１に搭載されていて、それらの発熱が、放熱板８０の作用によって軽減されるようになっている。
【００３７】
そこで、放熱板８０による放熱作用を促進するために、この実施形態では、放熱板８０に気流を接触させるための対策が講じられている。具体的には、図１、図２又は図７などに示したように、第２部材５１の放熱板８０との重なり領域に放熱孔としての開口４７が形成されている。さらに、図１、図２又は図３などに示したように、第１部材４１における第２部材５１の上記開口５８の形成箇所との対峙箇所に、放熱孔としての開口４７が形成されている。このように第１部材４１や第２部材５１に開口４７，５８を形成しておくと、外気の気流がそれらの開口４７，５８を通して放熱板８０に直接接触し、それによって高い放熱効果が得られる。そのため、ＬＥＤ２０の温度上昇が抑制されてその耐用性が改善される。
【００３８】
次に、上記照明装置を寝具などの家具や据置き棚などの棚類などに後付けによって設置する手順の一例を説明する。
【００３９】
図１５〜図１７はベッドの木製のヘッドボードに、その片面側からのみ照明装置を設置する手順を例示している。図１５は手順の開始段階を例示した断面図、図１６は最終段階を例示した断面図、図１７はヘッドボード１００に対する設置状態の断面図である。
【００４０】
図１５の開始段階では、第１部材４１の重ね合わせ部４３を、相手方部材としてのヘッドボード１００の片面に重ね合わせた状態で、第１部材４１の２箇所の挿通孔部４４，４４を利用して第１取付けビス４５，４５をヘッドボード１００にねじ込んで締め付ける。これにより、第１部材４１がヘッドボード１００の片面に固定される。その一方で、ＬＥＤ２０、放熱板８０、スイッチ２２などが取り付けられている第２部材５１に、目隠しカバー３５を取付けビス３８を用いて取り付けておく。通常、第２部材５１に、ＬＥＤ２０などでなる光放出ユニット１０や、放熱板８０、スイッチ２２などを取り付けた部品は一体部品Ｐとして利用者に提供される。
【００４１】
図１６の最終段階では、ヘッドボード１００に固定されている第１部材４１に、上記一体部品Ｐの第２部材５１に縁枠部５２を嵌合することによって、図６を参照して説明した着脱機構６１の作用で、第２部材５１を介して上記一体部品Ｐを第１部材４１に取り付ける。その後、矢印のように外カバー７０を一体部品Ｐに被せることにより、図１１を参照して説明した係合孔部７２と係合突起３９とを係合させて外カバー７０を一体部品Ｐに装着する。
【００４２】
以上の手順を行うことにより、図１７のように照明装置がヘッドボード１００に設置される。なお、図１５〜図１７に示したヘッドボード１００には、図４を参照して説明した第２部材５１の切欠部５９を通してその背方に引き出された電気コード（不図示）の挿通孔１０２が設けられている。この挿通孔１０２は、図４に仮想線で示したところにより類推できるように、第２部材５１の開口５８や第１部材４１の開口４７に連通している。この構成により、挿通孔１０２が、電気コードをヘッドボード１００の後方へ引き出すことに役立つだけでなく、上記開口４７，５８に外気を流通させて放熱板８０からの放熱を促進させることにも役立つ。
【００４３】
図１８〜図２０はベッドの木製のヘッドボードに、その片面側と他面側とから作業を行って照明装置を設置する手順を例示している。この設置手順では第１部材４１が不要である。図１８は手順の開始段階を例示した断面図、図１９は最終段階を例示した断面図、図２０はヘッドボード２００に対する設置状態の断面図である。
【００４４】
図１８の開始段階では、図１８の矢印のように、上記した一体部品Ｐに備わっている第２部材５１の重ね合わせ部５３をヘッドボード２００の片面に重ね合わせ、ヘッドボード２００の２箇所に設けられているビス挿通孔２０１，２０１に対して、第２部材５１の２箇所のボス部５４，５４を位置あわせする。
【００４５】
図１９の最終段階では、ヘッドボード２００のビス挿通孔２０１，２０１に挿通させた第２取付けビス５７，５７を第２部材５１のボス部５４，５４にねじ込んで締め付ける。これにより、上記一体部品Ｐがヘッドボード２００に固定される。次に、ヘッドボード２００に固定されている一体部品Ｐに、矢印のように外カバー７０を被せることにより、図１１を参照して説明した係合孔部７２と係合突起３９とを係合させて外カバー７０を一体部品Ｐに装着する。
【００４６】
以上の手順を行うことにより、図２０のように照明装置がヘッドボード２００に設置される。なお、図１８〜図２０に示したヘッドボード２００にも、図１５〜図１７に示したものと同様に、電気コード（不図示）の挿通孔２０２が設けられていて、図４を参照して説明した第２部材５１の切欠部５９を通してその背方に引き出された電気コードがその挿通孔２０２を通してヘッドボード２００の後方へ引き出される。この挿通孔２０２も、図４に仮想線で示したところにより類推できるように、第２部材５１の開口５８に連通している。そのため、挿通孔２０２が、電気コードをヘッドボード２００の後方へ引き出すことに役立つだけでなく、上記開口５８に外気を流通させて放熱板８０からの放熱を促進させることにも役立つ。
【００４７】
図１５〜図１７を参照して説明した設置手順は、ヘッドボード１００にその片面側からのみ照明装置を設置することに適し、図１８〜図２０を参照して説明した設置手順は、ヘッドボード２００にその片面側及び他面側から照明装置を設置することに適する。
【符号の説明】
【００４８】
１０  光放出ユニット
２０  ＬＥＤ
２１  回路基板
３０  レンズユニット
３１  レンズ
３４．７３  凹凸
３５  目隠しカバー
３６  開口部
４０  ベース部材
７０  外カバー
４１  第１部材
４３，５３  重ね合わせ部
４４  第１取付けビスの挿通孔部
４７，５８  開口（放熱孔）
５１  第２部材
５４  第２取付けビスをねじ込み可能なボス部
６１  着脱機構
６２  支柱
６３  爪部
６４  突片部
８０  放熱板
１００，２００  ヘッドボード（相手方部材）
【図１】
0003201524.tif 000003
【図２】
0003201524.tif 000004
【図３】
0003201524.tif 000005
【図４】
0003201524.tif 000006
【図５】
0003201524.tif 000007
【図６】
0003201524.tif 000008
【図７】
0003201524.tif 000009
【図８】
0003201524.tif 000010
【図９】
0003201524.tif 000011
【図１０】
0003201524.tif 000012
【図１１】
0003201524.tif 000013
【図１２】
0003201524.tif 000014
【図１３】
0003201524.tif 000015
【図１４】
0003201524.tif 000016
【図１５】
0003201524.tif 000017
【図１６】
0003201524.tif 000018
【図１７】
0003201524.tif 000019
【図１８】
0003201524.tif 000020
【図１９】
0003201524.tif 000021
【図２０】
0003201524.tif 000022